【事件の表示】
　特願２００２−１０３３５４「広域コンピュータ・ネットワーク上で入手可能な情報および／またはデータにアクセスする方法およびシステム」拒絶査定不服審判事件〔平成１５年　１月３１日出願公開、特開２００３−　３００９２〕について、次のとおり審決する。
【結　論】
　本件審判の請求は、成り立たない。
【理　由】
１．手続の経緯
　本願は，平成１４年４月５日（パリ条約による優先権主張，２００１年４月６日，欧州特許庁）の出願であって，平成１９年１１月１日付けの拒絶理由通知に対して，平成２０年１月２９日に意見書の提出とともに手続補正がなされ，平成２０年５月２８日付けで拒絶査定され，これに対し，平成２０年９月１日に拒絶査定に対する審判請求がなされるとともに手続補正がなされ，平成２２年４月２日付けで平成２１年３月９日付けの前置報告書を援用した審尋がなされ，平成２２年７月７日付けで回答がなされたものである。  
 　　  
２．平成２０年９月１日の手続補正及び本願発明について
（１）手続補正について
　平成２０年９月１日の手続補正（以下「本件補正」という。）により，本件補正前の特許請求の範囲の請求項１〜請求項１１に係る発明は，本件補正後の特許請求の範囲の請求項１〜４に係る発明に補正された。  
（２）本件補正の目的について
　本件補正の目的について以下に検討する。  
　本件補正後の請求項１〜請求項４に係る発明はシステムに係る発明であって，本件補正前の旧請求項８〜旧請求項１１に係る発明に対応し，旧請求項１〜旧請求項７に係る発明は削除された。
　したがって，本件補正は，平成１８年法律第５５号改正附則第３条第１項によりなお従前の例によるとされる同法による改正前の特許法第１７条の２第４項第１号に掲げる請求項の削除を目的とするものに該当する。 
（３）本願発明について  
　本願の請求項１に係る発明（以下「本願発明」という。）は，本件補正で補正された明細書の特許請求の範囲の請求項１に記載された事項により特定される次のとおりのものである。
「インターネット等の広域コンピュータ・ネットワーク（１００）上で入手可能な情報および／またはデータにアクセスするシステムであって，
　前記広域コンピュータ・ネットワーク（１００）の決定されたサイト（１０１，１０２，１０３）へのリンクに関連付けられた少なくとも１つの識別子（ＩＤ＿１，ＩＤ＿２，ＩＤ＿３，…）を含む第１の変調された音響信号（Ａ）を一群の潜在的ユーザに送信する手段（２，２ａ，３，３ａ，４，４ａ，４ｂ）と，
　前記第１の変調された音響信号（Ａ）を受信する手段（１０，１２，１４，３０），前記第１の変調された音響信号（Ａ）によって送信される１つまたは複数の識別子（ＩＤ＿１，ＩＤ＿２，ＩＤ＿３，…）を記憶する手段（１６），及び前記携帯通信ユニットによって記憶されている１つまたは複数の識別子（ＩＤ＿１，ＩＤ＿２，ＩＤ＿３，…）を含む第２の変調された音響信号（Ｂ）を送信する手段（１４，２２，２４，３０）を含むそれぞれのユーザが持っている携帯通信ユニット（１，１* ）と，
　前記広域コンピュータ・ネットワーク（１００）に接続されており，前記第２の変調された音響信号（Ｂ）を受信するように構成されているダウンロードする手段（５１，５２）を含むコンピュータ端末（５０，５１，５２）であって，ダウンロードされた１つまたは複数の識別子（ＩＤ＿１，ＩＤ＿２，ＩＤ＿３…）を識別子の決定されたリスト（ＩＤ＿Ａ，ＩＤ＿Ｂ，ＩＤ＿Ｃ…）と照合し，かつ，ダウンロードされた１つまたは複数の識別子（ＩＤ＿１，ＩＤ＿２，ＩＤ＿３…）に対応するサイトへのリンク（Ｌｉｎｋ＿Ａ，Ｌｉｎｋ＿Ｂ，Ｌｉｎｋ＿Ｃ…）のリストを生成するように構成されているコンピュータ端末と
を含むことを特徴とするシステム。」
　
３．原査定の拒絶の理由について
（１）拒絶理由について
　原査定の拒絶理由の「理由Ｃ」の概要は，以下のとおりである。　　
『（Ｃ）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
【請求項１−１１】引用文献：１，２
　引用文献１には，広告等にバーコードデータ（本願の「識別子」に相当）を付してコードリーダを具備した腕時計（携帯通信ユニット）を所持する利用者（特に第１４頁２４行目参照）に配布するステップと，前記バーコードデータを前記腕時計に記憶するステップと，前記腕時計に記憶された前記バーコードデータをコンピュータシステムに転送（ダウンロード）するステップと，前記コンピュータが前記バーコードデータに対応するＵＲＬ（サイトへのリンク）にアクセスしてインターネット上の情報にアクセスするステップとからなる情報アクセス方法が記載されている。
　ここで，引用文献１に記載の発明では，利用者へのバーコードデータの配布が音響信号を用いて行われるものではないが，引用文献２には，音響信号によってインターネットアクセスのための情報を配布する技術が記載されている。
　よって，引用文献１に記載の発明に引用文献２に記載のかかる技術を適用して，本願の請求項１−１１に記載の発明は，当業者が容易に想到し得た程度のものに過ぎない。
【引用文献等一覧】
１.国際公開第９９／６６４４１号パンフレット（特表２００２−５１８７５０号公報も参照）
２.特開平１１−１１０３１９号公報』 
　　
（２）拒絶査定について
　原査定の拒絶査定の「理由Ｃ」の概要は，以下のとおりである。 
『この出願については，平成１９年１１月１日付け拒絶理由通知書に記載した理由によって，拒絶をすべきものです。
　なお，意見書並びに手続補正書の内容を検討しましたが，拒絶理由を覆すに足りる根拠が見いだせません。
備考
（途中略）
・理由（Ｃ）について，
　引用文献２には，ＵＲＬを音響信号によって配布する技術が記載されている。よって，引用文献１に記載の発明におけるＵＲＬの配布を引用文献２に記載の技術を適用することによって音響信号によって行う様にし，本願の請求項１−１１に記載の如き発明の構成を為すことは，当業者においては格別の困難性を有することではない。
　なお，出願人は，引用文献１に記載の発明に引用文献２に記載の技術を適用することができないと主張するが，引用文献１に記載の発明に引用文献２に記載の技術を適用するにあたり，なんら阻害要件は存在しないから，出願人の主張を格別のものとは認めることができない。
【引用文献等一覧】
１.国際公開第９９／６６４４１号パンフレット
２.特開平１１−１１０３１９号公報』
　　  
　　  
４．当審の判断
　　  
４−１．引用例について
　　  
（１）引用例発明について  
　原査定の拒絶理由通知の「理由Ｃ」で引用文献１として引用した「国際公開第９９／６６４４１号パンフレット」（以下「引用例１」という。）には，図面とともに以下のことが記載されている。（以下「引用例１摘記事項」という。）
（ア）「Summary of the Invention 
　　　　Embodiments of the present invention overcome drawbacks of the above-mentioned publications and provide a method and apparatus for allowing a reader to easily store a reference code associated with a periodical, article, or advertisement using a convenient writing implement. The writing implement includes an electronic data reading, storage and transmission apparatus. Furthermore, embodiments of the present invention facilitate catalog shopping for both customers and sales personnel. Embodiments of the present invention also facilitate trading of securities. Embodiments of the invention produce fewer mistakes than occur in a manual system which requires printing, or otherwise reproducing, numbers or codes. 
　　　　Previously, and by way of example, a reader of a newspaper or periodical who wanted to record a reference to a particular Internet website, while commuting was required to write down the site's uniform resource locator (URL) on a piece of paper. Later on, the reader would locate the piece of paper, turn on a computer, and type the URL into a web browser. 
　　　　The systems and methods of the present invention save time by allowing a user to simply scan a code imprinted on an object to perform any of a number of tasks or transactions. The code can correspond to a variety of information such as URL sites. Embodiments of the present invention provide a system in which a detected reference code is transferred automatically to a computer system. The computer system can use an Internet browser to locate Internet sites on the World Wide Web that contain information related to the article, advertisement, catalog item or security associated with the detected reference code. 」
（第３ページ２７行〜第４ページ１３行）
（当審仮訳：
　発明の要旨
　本発明の実施形態は，上述した刊行物の難点を解消し，読者が，簡便な書き込み手段を用いて，定期刊行物，記事，または広告に関連する参照コードを容易に格納する方法および装置を提供する。この書き込み手段は，電子データの読み取り，格納，および送信を行う装置を含む。さらに，本発明の実施形態は，顧客および販売者の双方にとって，カタログショッピングをより簡便にする。本発明の実施形態はまた，有価証券の取引の簡易化にも役立つ。本発明の実施形態は，数字もしくはコードの印刷またはそうでない場合は複製を必要とするマニュアルシステムよりも，誤りの発生が少ない。
　一例を挙げると，従来では，新聞または定期刊行物の読者が，通勤途中に特定のインターネットウェブサイトに関して記録しようとする場合，そのサイトのユニフォームリソースロケータ（ＵＲＬ）を紙に書き留める必要があった。その後で，読者は，書き留めた紙を捜し，コンピュータの電源を入れ，そのＵＲＬをウェブブラウザにタイプ入力する。
　本発明のシステムおよび方法は，
ユーザが，物体上に印されたコードをスキャニングする
コードは，ＵＲＬサイト
情報に対応
検出した参照コードを
コンピュータシステムに転送
コンピュータシステムは，インターネットブラウザを用いて，検出した参照コードに関連する記事，広告，カタログ品目または証券に関連する情報を含むワールドワイドウェブ上のインターネットサイトを捜し出す
（イ）「Detailed Description 
　　　　In embodiments of the present invention, a bar code is placed in proximity to, e. g., at the beginning, middle or end of, an article or advertisement in a periodical. While the term periodicalis used in this specification, it should be understood that the term is meant to encompass all other forms of printed matter, such as newspapers, magazines, books, cookbooks, labels on articles, etc. 
　　　　A reader interested in obtaining additional information concerning the subject matter of the article or advertisement utilizes a code reader contained in an instrument such as a pen to read and store a unique code identifying the article. Subsequently, the reader installs the pen in a data well that is designed to receive the unique code from the pen and transmit the code to a computer system. 
　　　　Alternatively, the pen can communicate directly with the computer. In other words, no physical connection, e. g., no data well, is used. Instead wireless communication technology, such as an infra-red link or other electromagnetic link, is used to allow the pen to communicate directly with a computer. 
　　　　One embodiment of a computer system according to the invention can also transmit codes or other information through the data well to the pen, or directly from the computer to the pen, for later use by the user. The computer system can contain a database of codes and World Wide Web Internet addresses corresponding to the codes. The computer system then may access Internet sites corresponding to the addresses associated with the particular code to provide the user with further information related to the subject matter of the article or advertisement. 
　　　　Alternatively, the computer system may have no such database of codes but may rather possess the ability to communicate with a site outside the computer system, which site may contain the database for associating codes to Internet addresses. 
　　　　Embodiments of the present invention will now be described further with reference to Figs. 1-8. Fig. 1 shows a periodical article 10 having a first column of text 12 and a second column of text 13. The periodical 10 also includes a bar code 14 located at the bottom of the second column. As discussed above, the bar code may contain a unique identifying code to identify the article. The bar code may be implemented using one of a number of known bar codes formats or may be a unique code designed specifically for use with embodiments of the invention. Further, the bar code may be located at locations other than at the bottom of the article, such as the top of the article or in a margin adjacent the article. In addition, the bar code may be included adjacent a title of the article in an index or table of contents in the periodical. 
　　　　Although the term bar code is used in describing embodiments of the invention, such embodiments are not limited for use with bar codes, but rather may be used with any machine- readable code (such as an alphanumeric code) which is scannable or readable by the implements, e. g., pens, of the present invention. 
　　　　While in Fig. 1 the reference symbol 10 refers to a periodical containing a bar code 14 located at the bottom of the second column, it may be seen that the article 10 may rather be an order form such as the type found in a home catalog, currently a very popular method for shopping. Thus, columns 12 and 13 can constitute photographs and other descriptions of articles, each of which may be prefaced or followed by an appropriate bar code 14. 
　　　　One embodiment of the present invention, as illustrated in Fig. 2A, includes an electronic pen 16 with a writing segment 18 and a data transfer segment 20. A consumer can order a selected item that has an associated code using the data transfer end 20 of the writing implement 16 by performing the following steps. A consumer scans the code 14 and inserts the data transfer end 20 of the writing implement 16 into the data well 26 shown in Figs. 3 (A) and 3 (D). Upon insertion of the data transfer end 20 of the writing implement 16 signals representing the scanned code are transferred to the computer 28 through cable 30. 
　　　　Alternatively, the data reader 16 can communicate directly with a personal computer using wireless communication technology, e. g., a radio-frequency (RF) link, an infrared link, or other electromagnetic link, as described further below. In other words, circuits in the data reader both read the code associated with an article and communicate with a personal computer or other electronic device. 
　　　　Upon transferring signals representing the scanned code to the computer 28, an application on the computer 28 contacts a company's site on a wide-area network, e. g., on the Internet, corresponding to the scanned code. Furthermore, the scanned code can include instructions to order a particular item or items from the company. 」
（第５ページ２４行〜第７ページ１６行）  
（当審仮訳：
　詳細な説明
　本発明の実施形態において，定期刊行物中の記事または広告の近隣（例えば，冒頭部分，中盤部分，または結末部分）にバーコードが配置される。本明細書において「定期刊行物」という用語を用いているが，「定期刊行物」という用語は，新聞，雑誌，本，料理本，記事のラベルなど，全ての印刷物の形態を包含するものとして意図されていることが理解されるべきである。
　記事または広告の内容についてのさらなる情報を入手することに興味を持つ
読者は，ペンなどの手段に内蔵されているコード読み取り装置を用いて，その記事を識別する一意に定まるコードを読み取り，格納する。その後，読者は，一意に定まるコードをペンから受信してそのコードをコンピュータシステムへと送信する
　あるいは，
ペンはコンピュータと直接通信することもでき，言い換えると，物理的接続は用いられない（例えば，データウェルが無いなど）
ペンがコンピュータと直接通信することを可能にするために，無線通信技術の代わりに，赤外線リンクまたは他の電磁的リンクなどが用いられる
　本発明によるコンピュータの１つの実施形態はまた，コードまたは他の情報を，ユーザが後で利用することができるように，データウェルを通じてペンに，またはコンピュータから直接ペンに送信することもできる。
コンピュータシステムは，コードのデータベースと，そのコードに相当するワールドワイドウェブインターネットアドレスとを含む
コンピュータシステムは次いで，特定のコードに関連付けられたアドレスに相当するインターネットサイトにアクセスし，記事の内容または広告の内容に関連するさらなる情報を，ユーザに提供し得る
　次に，本発明の実施形態を図１〜８を参照してさらに説明する。図１は，第１の欄のテキスト１２，および第２の欄のテキスト１３を有する定期刊行物の記事１０を示す。定期刊行物１０はまた，第２の欄の下部に位置するバーコード１４を含む。上述のとおり，バーコードは，記事を識別する特有の識別コードを備え得る。バーコードは，多数の公知のバーコードフォーマットの内の１つを用いて実現され得るか，または本発明の実施形態との使用のために特別に設計された特有のコードであり得る。さらに，バーコードは，記事の上部，または記事に隣接する余白等の記事の下部以外の場所に位置し得る。また，バーコードは，その定期刊行物の索引または目次の記事のタイトルに隣接して含まれ得る。バーコードなる用語が本発明の実施形態の説明に用いられているが，これらの実施形態はバーコードとの使用に限定されず，本発明の手段（例えば，ペン）によりスキャンできるか，または読み取ることができる（英数字コード等の）任意の機械読取可能コードとも用いられ得る。
　図１において，参照符号１０が第２の欄の下部に位置するバーコード１４を備える定期刊行物を指すが，記事１０は，現在非常に普及しているショッピングの方法である，ホームカタログで見られるタイプの注文用紙でもあり得る。よって，欄１２および１３は，記事の写真および他の記述を構成し得，それらのそれぞれが，適切なバーコード１４の前に置かれるか，または後に置かれる。
　本発明の１つの実施形態は，図２Ａに示すとおり，書き込みセグメント１８，およびデータ転送セグメント２０を備える電子ペン１６を含む。消費者は，関連づけられたコードを有する選択した品目を書き込み手段１６のデータ転送端部２０を用いて以下のステップを実施することにより注文することができる。消費者は，コード１４をスキャンし，書き込み手段１６のデータ転送端部２０を図３Ａおよび３Ｄに示すデータウェル２６に挿入する。書き込み手段１６のデータ転送端部２０を挿入すると，スキャンしたコードを表わす信号がケーブル３０を介して，コンピュータ２８に転送される。
　あるいは，
データリーダ１６は，例えば，無線周波数（ＲＦ）リンク，赤外線リンク，または他の電磁リンク等の下記でさらに説明するような無線通信技術を用いてパーソナルコンピュータと直接通信し得る
　スキャンされたコードを表わす信号をコンピュータ２８に転送すると，コンピュータ２８上のアプリケーションが，そのスキャンしたコードに対応する，例えば，インターネット等の広域ネットワーク上のある会社のサイトにコンタクトする。さらに，スキャンしたコードは，その会社の１つまたは複数の特定の品目を注文する指示を含み得る。）
　　  
（ウ）「Fig. 5 illustrates in a flow chart format an alternative embodiment of a process according to the present invention. According to this embodiment, a user initiates the retrieval of information related to an article by scanning bar code (s) 102 or other alphanumeric symbol (s) using implement 16. As noted above, the code (s) can include multiple fields. The fields can identify a particular software application, a particular database or content provider, and a particular article within a particular database. The scanning implement 16 converts the scanned code (s) 102 into a signal representing the code (s) 102. 
　　　　In step 200, the system transmits the signals representing the scanned code (s) to the client's personal computer (PC) 104. In one embodiment, the system can transmit the signals as an ASCII string. Furthermore, the client PC receives the signals through a port 202. The port can be any one of a variety of ports, such as a serial, infrared, or radio-frequency port. 
　　　　A software application 201 on the client's PC 104 receives the signals representing the scanned code (s) and runs a browser 206. The application 201 filters the signals and/or connects via the Internet 106 and Portal Server 208 to Remote Nodes 210,212 to determine URLs and other information associated with the scanned bar code (s). In step 203, the application 201 sends the browser 206 the associated URLs and other information. As shown in Fig. 9, the browser then displays the information, e. g., as links. One embodiment of a system according to the invention can integrate links associated with scanned codes into a user's favorite search engine or portal. 」
（第１３ページ３０行〜第１４ページ１５行）
（当審仮訳：
　図５は，本発明のプロセスの別の実施形態をフローチャートの形式で例示する。この実施形態によると，ユーザは，
手段１６を使用してバーコード１０２または他の英数記号をスキャンすることによって，記事に関連する情報の取出しを開始する。上記のように，コードは，複数のフィールドを含み得る。フィールドは，特定のソフトウェアアプリケーション，特定のデータベースまたはコンテンツプロバイダ，および特定のデータベース内の特定の記事を識別し得る。スキャン手段１６は，スキャンされたコード１０２を，コード１０２を表す信号に変換する
　ステップ２００において，システムは，
スキャンされたコードを表す信号をクライアントのパーソナルコンピュータ（ＰＣ）１０４に送信す
　クライアントのＰＣ１０４上の
ソフトウェアアプリケーション２０１は，スキャンされたコードを表す信号を受信し，ブラウザ２０６を実行する。アプリケーション２０１は，信号をフィルタリングし，および／またはインターネット１０６およびポータルサーバ２０８を介してリモートノード２１０，２１２に接続することにより，スキャンされたバーコードに対応するＵＲＬおよびその他の情報を決定する
アプリケーション２０１はブラウザ２０６に，対応するＵＲＬおよびその他の情報を送る
ブラウザは次に情報を，例えばリンクとして表示する
スキャンされたコードに対応するリンクをまとめて，ユーザの「お気に入り」サーチエンジンまたはポータルに入れることができる
　　  
（エ）「In embodiments of the present invention described above, a code reader is incorporated into a pen. In other embodiments, the code reader may be incorporated in other writing instruments, or may be incorporated in some other, preferably portable, device such as a watch, cellular phone, etc. In still other embodiments, the code reader may be a stand-alone portable device designed to easily fit within a pocket or brief case and may be even incorporated into a laser-pointer-type shaped device which may be attached to a user's keychain. 」
（第１４ページ２２行〜２７行）
（当審仮訳：
　本発明の前述の実施形態において，コードリーダはペンの中に設けられている。他の実施形態において，
コードリーダは
携帯可能なデバイス，例えば腕時計
などに設けられ得る
　　 
（オ）「In still another embodiment, the electronic pen has an audio recording module in place of the bar code reader, enabling a user to record an Internet URL address in the recording module. 
　　　　In this embodiment, the pen well includes circuitry to receive the URL address from the electronic pen, either acoustically or electronically, and to transfer the URL address to the computer system. For this embodiment, the computer system contains a voice recognition engine and is programmed to receive the URL address, and upon receipt, to enable a web browser to access the Internet site having the URL address. 」
（第１５ページ１８行〜２４行）
（当審仮訳：
　さらに別の実施形態において，電子ペンは，バーコードリーダの代わりにオーディオ録音モジュールを有することにより，ユーザがインターネットＵＲＬアドレスを録音モジュール中に記録することを可能にする。この実施形態において，ペンウェルは，電子ペンからＵＲＬアドレスを音響的または電子的に受け取り，ＵＲＬアドレスをコンピュータシステムに転送するための回路を有する。この実施形態について，
コンピュータシステムは，音声認識エンジンを含み，ＵＲＬアドレスを受け取るようにプログラミングされ，受信と同時に，そのＵＲＬアドレスを有するインターネットサイトにウェブブラウザがアクセスすることを可能にする
　　
　引用例１摘記事項の（ア）（イ）（エ）によれば，引用例１には，以下の発明（以下「引用例１発明」という。）が開示されている。  
　　  
「ユーザが，ＵＲＬサイトの情報に対応したコードをスキャニングし，検出したコードをコンピュータシステムに転送し，インターネットブラウザを用いて，検出したコードに関連するインターネットサイトを捜し出すものであって，
　ペンに内蔵されているコード読み取り装置を用いて，記事を識別する一意に定まるコードを読み取って格納し，
　赤外線リンクや電磁的リンクなどによりペンがコンピュータと直接通信して一意に定まるコードをコンピュータシステムへ送信し，
　コンピュータシステムは，コードのデータベースと，そのコードに相当するワールドワイドウェブインターネットアドレスとを含み，
　コンピュータシステムは，特定のコードに関連付けられたアドレスに相当するインターネットサイトにアクセスすることにより，記事の内容を，ユーザに提供し得るシステムであり，
　コードリーダーは，腕時計や携帯電話などに設けられ得るシステム。」  
　　  
　　　 
（２）引用例２について  
　原査定の拒絶理由通知の「理由（Ｃ）」で引用文献２として引用した「特開平１１−１１０３１９号公報」（以下「引用例２」という。）には，図面とともに以下のことが記載されている。（以下「引用例２摘記事項」という。）
　　 
（カ）「【発明の詳細な説明】
【０００１】
【産業上の利用分野】この発明は，音響信号を媒体とする音響ＵＲＬ信号送信装置，音響ＵＲＬ信号受信装置，テレビジョン送信装置，テレビジョン受信装置，音響ＵＲＬ信号記録装置，音響ＵＲＬ信号再生装置，光ディスク記録装置および光ディスク再生装置に関する。
【０００２】
【従来の技術】従来，テレビジョン放送で放送されたＵＲＬ（Uniform Resource Locator）の示す
ウェブサイトにアクセスする場合，視聴者はそのＵＲＬを一旦書き留め，それを家庭用パーソナルコンピュータやインターネットＴＶのようなウェブブラウザ機能を持つ情報処理装置に入力する必要があった
（キ）「【発明が解決しようとしている課題】しかしながら，これら方法は甚だ不便であった。
【０００５】かかる点を鑑み，この発明の目的は，
ウェブサイトへのアクセスを容易にするため，ＵＲＬを音響信号として送信する音響ＵＲＬ信号送信装置およびテレビジョン送信装置と，受信した音響信号からＵＲＬを抽出した際，そのＵＲＬの示すウェブサイトに自動的アクセスしてウェブ情報を獲得し，そのウェブ情報を出力する音響ＵＲＬ信号受信装置およびテレビジョン受信装置とから構成される音響ＵＲＬ信号送受信システムを提案する
（ク）「【００２４】次に，この発明に係わる音響ＵＲＬ送受信システムを図面を参照しながら詳細に説明する。図１は，この発明を適用した音響ＵＲＬ信号送信装置の第１の実施形態である。ＵＲＬ入力部１０１は，伝送すべきＵＲＬをエンコーダ１０２に供給する。代表的なＵＲＬ入力部としては，キーボードが挙げられる。
エンコーダ１０２は，ＵＲＬ入力部１０１からのＵＲＬを基に，符号化された音響ＵＲＬ信号を音響信号重畳器１０３に供給する。音響信号重畳器１０３は，エンコーダ１０２から供給された音響ＵＲＬ信号を，入力端子から供給される音響信号に重畳し，音響信号送信器１０４に供給する。音響信号送信器１０４は，送信空中線１０５を通じて，送信する
（ケ）「【００３０】図４は，この発明を適用した音響ＵＲＬ信号受信装置の第１の実施形態である。
音響映像信号受信器４０２は，受信空中線４０１が捕らえた電波から音響信号を復調
音響信号をデコーダ４０３
に供給する
デコーダ４０３は，音響信号受信器４０２からの音響信号から，ＵＲＬと一対一に対応する音響ＵＲＬ信号を抽出することで，伝送されたＵＲＬを決定し，そのＵＲＬを情報処理部４０５に供給する
　　 
４−２．対比
　　  
　本願発明と，上記引用例１発明とを比較する。  
（ア）引用例１発明は，ユーザが，ＵＲＬサイトの情報に対応したコードをスキャニングし，検出したコードをコンピュータシステムに転送し，インターネットブラウザを用いて，検出したコードに関連するインターネットサイトを捜し出すものである。
　してみると，引用例１発明と本願発明とは，「インターネット等の広域コンピュータ・ネットワーク上で入手可能な情報および／またはデータにアクセスするシステム」である点で共通する。
（イ）引用例１発明のコードは，コンピュータシステムに転送され，インターネットブラウザを用いて，検出したコードに関連するインターネットサイトが捜し出されるものであり，不特定のユーザに広く配布されるものである。
　してみると，引用例１発明と本願発明とは，後記する点で相違するものの「広域コンピュータ・ネットワークの決定されたサイトへのリンクに関連付けられた識別子を含む第１の信号を一群の潜在的ユーザに配布する手段」を有する点で共通する。
（ウ）引用例１発明のペンは，腕時計や携帯電話であってもよく，内蔵されているコード読み取り装置を用いて，記事を識別する一意に定まるコードを読み取って格納し，赤外線リンクや電磁的リンクなどによりコンピュータと直接通信して一意に定まるコードをコンピュータシステムへ送信するものである。
　してみると，引用例１発明と本願発明とは，後記する点で相違するものの，「第１の信号を受けとる手段，第１の信号によって送られる識別子を記憶する手段，及び携帯通信ユニットによって記憶されている識別子を含む第２の変調された信号を送信する手段を含むそれぞれのユーザが持っている携帯通信ユニット」を有する点で共通する。
（エ）引用例１発明のコンピュータシステムは，コードのデータベースと，そのコードに相当するワールドワイドウェブインターネットアドレスとを含み，特定のコードに関連付けられたアドレスに相当するインターネットサイトにアクセスすることにより，記事の内容をユーザに提供するものである。
　してみると，引用例１発明と本願発明とは，後記する点で相違するものの，「広域コンピュータ・ネットワークに接続されており，第２の変調された信号を受信するように構成されているダウンロードする手段を含むコンピュータ端末であって，ダウンロードされた識別子に対応するサイトへリンクするように構成されているコンピュータ端末」を有する点で共通する。
　
　そうすると両者は，  
「インターネット等の広域コンピュータ・ネットワーク上で入手可能な情報および／またはデータにアクセスするシステムであって，
　広域コンピュータ・ネットワークの決定されたサイトへのリンクに関連付けられた識別子を含む第１の信号を一群の潜在的ユーザに配布する手段と，
　第１の信号を受けとる手段，第１の信号によって送られる識別子を記憶する手段，及び携帯通信ユニットによって記憶されている識別子を含む第２の変調された信号を送信する手段を含むそれぞれのユーザが持っている携帯通信ユニットと，
　広域コンピュータ・ネットワークに接続されており，第２の変調された信号を受信するように構成されているダウンロードする手段を含むコンピュータ端末であって，ダウンロードされた識別子に対応するサイトへリンクするように構成されているコンピュータ端末と
を含むことを特徴とするシステム。」
　
である点で一致し，以下の点で相違する。  
　　  
［相違点１］
　本願発明は，第１の信号が，「変調された音響信号」を「送信」することにより配布されるものであり，携帯通信ユニットが，第１の「変調された音響信号」を「受信」して識別子を記憶するものであるのに対し，引用例１発明は，そのような構成になっていない点。　
［相違点２］  
　本願発明は，携帯通信ユニットが，第２の信号を「変調された音響信号を送信する」ものであり，コンピュータ端末が，「変調された音響信号を受信する」ものであるのに対し，引用例１発明は，そのような構成になっていない点。
［相違点３］  
　本願発明は，第１の信号が，「少なくとも１つの識別子を含む」ものであり，携帯通信ユニットが記憶する識別子が，「１つまたは複数の識別子」であり，携帯通信ユニットが送信する記憶されている識別子が，「１つまたは複数の識別子」であり，コンピュータ端末がダウンロードするものが，「１つまたは複数の識別子」であるのに対し，引用例１発明は，そのような構成になっていない点。
［相違点４］
　本願発明は，コンピュータ端末が識別子を「識別子の決定されたリストと照合」し，かつ識別子と「対応するサイトへのリンクのリストを生成」するのに対し，引用例１発明は，そのような構成になっていない点。
　 
４−３．判断
　
［相違点１］について。
　引用例２摘記事項の（カ）〜（ケ）によれば，引用例２には，視聴者がＵＲＬを記録しサイトへアクセスすることを容易にするべく，「符号化された音響ＵＲＬ信号を音響信号に重畳して配布し，音響信号から音響ＵＲＬ信号を抽出してＵＲＬを決定して情報処理部へ供給する。」との事項が開示される。（以下「引用例２開示事項」という。）
　してみると，引用例１発明に引用例２開示事項を適用し，もって，第１の信号を，「変調された音響信号」を「送信」することにより配布されるよう構成し，携帯通信ユニットを，第１の「変調された音響信号」を「受信」して識別子を記憶するよう構成することには何ら困難性がなく，当業者が容易に想到することができたものである。
［相違点２］について。  
　引用例１摘記事項の（オ）によれば，引用例１には，「コンピュータシステムの音声認識エンジンによりＵＲＬアドレスを受け取り，インターネットサイトにアクセスする。」との事項が開示される。（以下「引用例１開示事項Ａ」という。）
　してみると，引用例１発明に引用例１開示事項Ａを適用し，もって，携帯通信ユニットを，第２の信号を「変調された音響信号を送信する」よう構成し，コンピュータ端末を，「変調された音響信号を受信する」よう構成することには何ら困難性がなく，当業者が容易に想到することができたものである。
［相違点３］について。
　第１の信号が含む「１つの識別子」と，携帯通信ユニットが記憶する，「１つまたは複数の識別子」と，携帯通信ユニットが送信する，「１つまたは複数の識別子」と，コンピュータ端末がダウンロードする「１つまたは複数の識別子」とについて検討する。
　特許請求の範囲によれば，これらの識別子はいずれも（ＩＤ＿１，ＩＤ＿２，ＩＤ＿３，…）であるとされることから，「１つの識別子」と，「１つまたは複数の識別子」は同じである。
　さらに発明の詳細な説明の記載をみても，送信される「１つの識別子」と，記憶される「１つまたは複数の識別子」とにより，技術的な特徴を有するものではない。
　してみると，相違点３は実質的な相違点ではない。
　仮に，送信される「１つの識別子」と，記憶される「複数の識別子」とで技術的な特徴を有するものとして，一応検討する。
　例えば，複数の識別子により特定のサイトへのリンク情報を生成するという技術的な特徴を有するものであるとすれば，引用例１摘記事項の（ウ）には，「コードが複数のフィールドを含み，それぞれ特定のデータベース内の特定の記事を識別する。」との事項が開示されていることから，そのような構成とすることは，当業者が容易に想到することができたものである。
　例えば，複数の識別子を記憶できるように構成するというものであれば，当業者が適宜なし得る設計的事項である。
　以上のことから，相違点３は実質的な相違点ではないか，相違があるとしても，当業者が容易に想到することができたものである。
［相違点４］について
　引用例１摘記事項の（ウ）には，「ＰＣ上のソフトウェアアプリケーションがスキャンされたコードを表す信号を受信し，スキャンされたバーコードに対応するＵＲＬの情報を決定し，ブラウザがリンク表示をしたり『お気に入り』に入れる。」との事項が記載されている。（以下「引用例１開示事項Ｂ」という。）
　ここで，コードに対応するＵＲＬの情報を決定する際，つまりダウンロードされた識別子の情報からサイトのリンク先を特定する際，リンク先ごとに特定される識別子が決定されているリストと照合し，対応するサイトへのリンクを生成することは，当業者が適宜なし得る設計的事項である。（以下「設計的事項」という。）
　してみると，引用例１発明に引用例１開示事項Ｂ及び設計的事項を適用することにより，コンピュータ端末がこの識別子を「識別子の決定されたリストと照合」し，かつこの識別子と「対応するサイトへのリンクを生成」するよう構成することには何ら困難性がなく，当業者が容易に想到することができたものである。
　その際さらに，これをリストとして生成することもまた当業者が適宜なし得る設計的事項であり，当業者が容易に想到することができたものである。
　　  
４−４．審判請求人の主張の参酌
　 
（１）審判請求人は，審判請求書において以下のとおり主張している。
「（ｄ）本願発明と引用発明との対比
　引用文献１には，本願発明の構成要素である，音響信号を送信する手段と，それを受信し識別子を記憶し，それを含む音響信号を送信するそれぞれの手段を含む携帯通信ユニットと，携帯通信ユニットから送信された音響信号を受信してそれに含まれている識別子からそれに対応するサイトへリンクするように構成されたコンピュータ端末とのいずれも備えていない。
　すなわち，共通する構成要素が一切含まれていない。
　同様に，引用文献２にも上記本願発明の各構成要素に対応する構成要素は含まれていない。」（平成２０年９月２５日付け理由補充の補正書の第２ページ３行〜１１行）
　
　審判請求人の上記の主張について検討する。
　審判請求人の上記の主張は，［相違点１］及び［相違点２］に係る主張であると考えられるところ，これら相違点に係る事項が当業者が容易に想到することができたことは，「［相違点１］について」及び「［相違点２］について」で検討したとおりであり，審判請求人の上記の主張を採用することはできない。
　
（２）審判請求人は回答書において以下のとおり主張している。
「審査官は，前置報告書で，本願発明の「音響信号にネットワークアクセス用の識別子を重畳させる」の構成に対して，新たに参考文献Ａを提示しています。 
　もし，引用例１と２とこの参考文献を組み合わせて拒絶される場合は，この参考文献Ａを含んだ拒絶理由をもう一度通知して頂きたいと考えます。 
　審判請求人は，審判請求書で主張したように本願発明の主たる特徴については，引用例１と２には記載されていないと考えています。」（回答書第２ページ１５行〜２０行）
　
　審判請求人の上記の主張について検討する。
　当審の審尋で通知した特開平１１−１１９９７４号公報（以下「参考文献」という。）には，音響信号にネットワークアクセス用の識別子を重畳させるとの事項が開示される。
　しかし，参考文献に開示される事項を引用するまでもなく，相違点２に係る事項は引用例１発明及び引用例２開示事項から当業者が容易に想到することができたものであることは，「［相違点２］について」で判断したとおりであり，審判請求人の上記の主張を採用することはできない。
　 
４−５．まとめ
　　  
　以上判断したとおり，本願発明における上記［相違点１］ないし［相違点４］に係る発明特定事項は，いずれも当業者が容易に想到することができたものであり，上記各相違点を総合しても，想到することが困難な格別の事項は見いだせない。  
　また，本願発明の作用効果も，引用例１発明，引用例１開示事項，引用例２開示事項及び設計的事項から当業者が予測できる範囲のものである。  
　　 
　したがって，本願発明は，引用例１発明，引用例１開示事項，引用例２開示事項及び設計的事項に基づいて，当業者が容易に発明をすることができたものである。  
　  
　  
５．むすび
　以上のとおり，本願発明は，引用例１発明，引用例１開示事項，引用例２開示事項及び設計的事項に基づいて，当業者が容易に発明をすることができたものであり，特許法第２９条第２項の規定により特許を受けることができない。  
　　  
　よって，結論のとおり審決する。